(57)【要約】【課題】安全性の向上、充電時間の短縮化および利便性の向上を図ることができる閃光発光装置を提供する。【解決手段】閃光発光部及び閃光発光回路を有し、液体又は気体を燃料とした燃料電池を使用可能な閃光発光装置であって、閃光発光部及び閃光発光回路と、燃料電池との間に少なくとも１つ以上の隔壁を設けた。【選択図】　図１
2004004363.tif 000002
【特許請求の範囲】
【請求項１】
閃光発光部及び閃光発光回路を有し、液体又は気体を燃料とした燃料電池を使用可能な閃光発光装置であって、
前記閃光発光部及び前記閃光発光回路と、前記燃料電池との間に少なくとも１つ以上の隔壁を設けたことを特徴とする閃光発光装置。
【請求項２】
前記隔壁の一部が、気密又は水密されていることを特徴とする請求項１に記載の閃光発光装置。
【請求項３】
装置本体を覆う外装部材を有しており、
前記隔壁は前記外装部材と一体的に備えられることを特徴とする請求項１又は２に記載の閃光発光装置。
【請求項４】
前記隔壁は前記燃料電池の外周を覆い、前記燃料電池と共に装置本体から取り外し可能であることを特徴とする請求項１又は２に閃光発光装置。
【請求項５】
閃光発光部及び閃光発光回路を有し、液体又は気体を燃料とする燃料電池を使用可能な閃光発光装置であって、
前記閃光発光部及び前記閃光発光回路と、前記燃料電池とを隣接させないように配置したことを特徴とする閃光発光装置。
【請求項６】
閃光発光部と、閃光発光回路と、装置本体を覆う外装部材とを有し、液体又は気体を燃料とする燃料電池を使用可能な閃光発光装置であって、
外気の出し入れを行うための換気手段を有することを特徴とする閃光発光装置。
【請求項７】
前記換気手段が、前記外装部材に設けられた穴部であることを特徴とする請求項６に記載の閃光発光装置。
【請求項８】
閃光発光部及び閃光発光回路を有し、液体又は気体を燃料とする燃料電池を使用可能な閃光発光装置であって、
前記燃料電池の発生させた電力を貯える２次電池を有し、
前記閃光発光部及び前記閃光発光回路の電力を前記２次電池から供給することを特徴とする閃光発光装置。
【請求項９】
前記２次電池の充電量を検知する２次電池充電量検知手段と、
閃光発光回路動作制限手段とを備え、
前記閃光発光回路動作制限手段は、前記２次電池充電量検知手段によって２次電池の充電量が所定量以下と検知されたとき、前記閃光発光回路の充電動作及び発光動作を禁止することを特徴とする請求項８に記載の閃光発光装置。
【請求項１０】
閃光発光部、閃光発光回路および前記閃光発光回路に電力を供給する２次電池を有する閃光発光装置と、
前記２次電池を充電する燃料電池とから構成される閃光発光システムにおいて、
前記２次電池は、閃光発光装置に装着状態で閃光発光装置に接続された燃料電池から充電されることを特徴とする閃光発光システム。
【請求項１１】
前記２次電池への充電中において、前記閃光発光装置の充電動作及び発光動作を禁止する閃光発光回路動作制限手段を有することを特徴とする請求項１０に記載の閃光発光システム。
【請求項１２】
前記閃光発光装置を前記燃料電池に接続中において、前記閃光発火装置の充電動作及び発光動作を禁止する閃光発光回路動作制限手段を有することを特徴とする請求項１０に記載の閃光発光システム。
【請求項１３】
閃光発光部、閃光発光回路および前記閃光発光回路に電力を供給する２次電池を有する閃光発光装置と、
前記２次電池を充電する燃料電池とから構成される閃光発光システムにおいて、
前記２次電池が、前記閃光発光装置から脱着可能に保持され、前記閃光発光装置から取り外された状態で前記燃料電池から充電されることを特徴とする閃光発光システム。
【請求項１４】
閃光発光部及び閃光発光回路を有する閃光発光装置と、
前記閃光発光回路に電力を供給する２次電池と、
前記２次電池を充電する燃料電池とから構成される閃光発光システムにおいて、
前記２次電池及び前記燃料電池が、前記閃光発光装置に着脱可能であることを特徴とする閃光発光システム。
【請求項１５】
前記燃料電池と前記２次電池が、一体的に前記閃光発光装置に装着可能であることを特徴する請求項１４に記載の閃光発光システム。
【発明の詳細な説明】
【０００１】
【発明の属する技術分野】
本発明は、閃光発光装置及び閃光発光システムに関するものであり、詳しくは閃光発光装置及び閃光発光システムの安全性、安定性及び利便性の向上に関するものである。
【０００２】
【従来の技術】
暗い時の撮影時及び日中の逆光撮影時にストロボを発光させて撮影するい、わゆるストロボ撮影は一般的であり、それを実現する閃光発光装置も知られている。
【０００３】
図１０に従来の閃光発光装置のブロック図を示す。図１０において、６０１はメインキャパシタ等に充電された電荷をキセノン管を励起させる事で放電させると同時にその際に光を発生させるストロボ発光手段、６０２はカメラ等の電池よりメインキャパシタに電荷を充電させるための昇圧回路を含むストロボ充電手段、６０３はメインキャパシタの電荷をストロボ発光させる事無く放電させる為のストロボ放電手段、６０４はストロボの充電、発光、放電を制御するストロボ制御手段、６０５はストロボ制御手段６０４に制御信号を送り、カメラの撮影動作を制御するマイクロプロセッサである。
【０００４】
６０６はストロボ発光回路６０１等から構成される閃光発光装置である。
【０００５】
図１１は、ストロボ発光手段６０１、ストロボ充電手段６０２、ストロボ放電手段６０３等の構成を示す回路図である。
【０００６】
図１１において、６１０はストロボ用の電源であるところの電池である。６１１は電池６１０の電圧を昇圧してメインキャパシタ６２２に電荷を充電させるための公知のストロボ昇圧回路、６１２は電流抑制用の抵抗、６１３は充電電圧を検出するツェナーダイオード、６１５、６１６は抵抗、６１４はメインキャパシタ６２２が充電した事を検出すると共にストロボ昇圧回路の動作を停止させるトランジスタで、ストロボ昇圧回路６１１から抵抗６１６までにてストロボ充電手手段６０２を構成している。
【０００７】
６１７はキセノン管６１９を励起させるトリガコンデンサを有する公知のトリガ回路を含むストロボ発光制御手段、６１８はストロボ発光時間を延長させると共にメインキャパシタ６２２の放電電流を抑制するチョークコイル、６１９はストロボ発光用のキセノン管であり、ストロボ発光制御回路６１７からキセノン管６１９までにてストロボ発光手段６０１を構成している。
【０００８】
６２０はストロボ発光途中にてオンし発光量を調整したり、単にメインキャパシタ６２２の電荷を放電させるためのサイリスタ、６２１はサイリスタ６２０をオンさせるストロボ放電制御回路であり、サイリスタ６２０及びストロボ充電制御回路６２１にてストロボ放電手段６０３を構成している。
【０００９】
６２２はストロボ充電手段６０２により昇圧された電池６１０の電荷を充電し、所定のタイミングにてストロボ発光手段６０１に電流を流すメインキャパシタである。
【００１０】
この種の閃光発光装置においては、ストロボ発光させる為にかなりのエネルギー（電荷）をメインキャパシタに蓄えなければならない。また、ストロボ発光の際にキセノン管等を励起するためにストロボ発光制御手段６１７及びストロボ発光用のキセノン管６１９を含むストロボ発光手段６０１は４ｋＶ以上の高電圧になる。
【００１１】
従来、ストロボ用の電源６１０はリチウムバッテリー等の乾電池を用いていた。
【００１２】
閃光発光装置の組立て調整時や、閃光発光装置が使用者によって通常使われている場合に、使用者が閃光発光装置を落下させて高電圧部の保護部材が外れ閃光発光装置内で高電圧部がむき出しになってしまう場合もある。また、子供等が遊びながらカメラを分解してしまった場合には、閃光発光装置の高電圧部の保護部材をはずしたまま閃光発光装置を使う場合がある。
【００１３】
これまで、閃光発光装置の安全性を向上させる為に、特開平５−２１６００９号公報に記載のカメラ及びストロボ装置のようにカメラの調整時やストロボが向き出しになった状態を検知したときはストロボの充電を禁止していた。
【００１４】
【発明が解決しようとする課題】
従来の閃光発光装置の電源として用いられていた乾電池では、電池内部の電解液は交換不能に密閉されている。そのため閃光発光装置の落下等の事故があっても液漏れ等の内容物の漏洩が発生しにくい。
【００１５】
しかし、閃光発光装置の電源として、特公平１−３３０２９号公報等に記載される水素等の燃料と酸化剤から電気化学反応を用いて電気エネルギーを取り出す燃料電池を用いる場合、閃光発光装置の落下などの事故もしくは燃料充填後に燃料容器の密閉が不十分で気体燃料もしくは気化した液体燃料が閃光発光装置の高電圧部に充満する可能性がある。
【００１６】
閃光発光装置においては内部に高電圧を用いている為に、上述のように落下等の事故で閃光発光装置内部で空中放電が発生するおそれがある。とくに、このような問題はカメラ等の民生機器においては重要な問題となっている。
【００１７】
本発明は、燃料電池を用いる閃光発光装置において安全性の向上を図ることを第１の目的としている。
【００１８】
また、従来の閃光発光装置では、ストロボ発光させる為にかなりのエネルギー（電荷）をメインキャパシタに蓄えなければならない為、十分な電力を供給できない電源では従来の乾電池に比べ動作が不安定になったり、充電時間が延びるという問題が発生する。
【００１９】
本発明の第２の目的は、燃料電池を用いた閃光発光装置において、動作の安定化と充電時間の短縮を図ることである。
【００２０】
さらに、従来の閃光発光装置、燃料電池及び２次電池を用いた閃光発光システムでは、ストロボ発光に対する電力消費量が多く２次電池の充電の為に閃光発光装置が使用できない場合が頻繁に起こる。
【００２１】
本発明の第３の目的は、閃光発光装置、燃料電池及び２次電池を用いた閃光発光システムにおいて、閃光発光装置の利便性の向上を図ることを目的とする。
【００２２】
【課題を解決するための手段】
そこで、第１の目的を達成するために、本願請求項１に記載の発明は、閃光発光部及び閃光発光回路を有し、液体又は気体を燃料とした燃料電池を使用可能な閃光発光装置であって、閃光発光部及び閃光発光回路と、燃料電池との間に少なくとも１つ以上の隔壁を設けたことを特徴とする。
【００２３】
第１の目的を達成する為に、請求項２に記載の発明は、隔壁の一部が、気密又は水密されていることを特徴とする。
【００２４】
第１の目的を達成する為に、請求項３に記載の発明は、装置本体を覆う外装部材を有しており、隔壁は外装部材と一体的に備えられることを特徴とする。
【００２５】
第１の目的を達成する為に、請求項４の発明は、隔壁は燃料電池の外周を覆い、燃料電池と共に装置本体から取り外し可能であることを特徴とする。
【００２６】
第１の目的を達成する為に、請求項５の発明は、閃光発光部及び閃光発光回路を有し、液体又は気体を燃料とする燃料電池を使用可能な閃光発光装置であって、閃光発光部及び閃光発光回路と、燃料電池とを隣接させないように配置したことを特徴とする。
【００２７】
第１の目的を達成する為に、請求項６の発明は、閃光発光部と、閃光発光回路と、装置本体を覆う外装部材とを有し、液体又は気体を燃料とする燃料電池を使用可能な閃光発光装置であって、外気の出し入れを行うための換気手段を有することを特徴とする。
【００２８】
第１の目的を達成する為に、請求項７の発明は、換気手段が、外装部材に設けられた穴部であることを特徴とする。
【００２９】
第２の目的を達成する為に、請求項８の発明は、閃光発光部及び閃光発光回路を有し、液体又は気体を燃料とする燃料電池を使用可能な閃光発光装置であって、燃料電池の発生させた電力を貯える２次電池を有し、閃光発光部及び閃光発光回路の電力を２次電池から供給することを特徴とする。
【００３０】
第２の目的を達成する為に、請求項９の発明は、２次電池の充電量を検知する２次電池充電量検知手段と、閃光発光回路動作制限手段とを備え、閃光発光回路動作制限手段は、２次電池充電量検知手段によって２次電池の充電量が所定量以下と検知されたとき、閃光発光回路の充電動作及び発光動作を禁止することを特徴とする。
【００３１】
第１の目的を達成する為に、請求項１０の発明は、閃光発光部、閃光発光回路および閃光発光回路に電力を供給する２次電池を有する閃光発光装置と、２次電池を充電する燃料電池とから構成される閃光発光システムにおいて、２次電池は、閃光発光装置に装着状態で閃光発光装置に接続された燃料電池から充電されることを特徴とする。
【００３２】
第１の目的を達成する為に、請求項１１の発明は、２次電池への充電中において、閃光発光装置の充電動作及び発光動作を禁止する閃光発光回路動作制限手段を有することを特徴とする。
【００３３】
第１の目的を達成する為に、請求項１２の発明は、閃光発光装置を燃料電池に接続中において、閃光発火装置の充電動作及び発光動作を禁止する閃光発光回路動作制限手段を有することを特徴とする。
【００３４】
第１の目的を達成する為に、請求項１３の発明は、閃光発光部、閃光発光回路および閃光発光回路に電力を供給する２次電池を有する閃光発光装置と、２次電池を充電する燃料電池とから構成される閃光発光システムにおいて、２次電池が、閃光発光装置から脱着可能に保持され、閃光発光装置から取り外された状態で燃料電池から充電されることを特徴とする。
【００３５】
第３の目的を達成する為に、請求項１４の発明は、閃光発光部及び閃光発光回路を有する閃光発光装置と、閃光発光回路に電力を供給する２次電池と、２次電池を充電する燃料電池とから構成される閃光発光システムにおいて、２次電池及び燃料電池が、閃光発光装置に着脱可能であることを特徴とする。
【００３６】
第３の目的を達成する為に、請求項１５の発明は、燃料電池と２次電池が、一体的に閃光発光装置に装着可能であることを特徴する。
【００３７】
【発明の実施の形態】
（第１の実施例）
第１の実施例は第１と第２の目的を達成するために、請求項１、２、３、８、９に対応する。
【００３８】
図１に第１の実施例の閃光発光装置のブロック図を示す。図１において、１はメインキャパシタ等に充電された電荷をキセノン管を励起させる事で放電させると同時にその際に光を発生させるストロボ発光手段、２はカメラ等の電池よりメインキャパシタに電荷を充電させるための昇圧回路を含むストロボ充電手段、３はメインキャパシタの電荷をストロボ発光させる事無く放電させる為のストロボ放電手段、４はストロボの充電、発光、放電を制御するストロボ制御手段、５はストロボ制御手段４に制御信号を送り、カメラの撮影動作を制御するマイクロプロセッサである。
【００３９】
６はストロボ発光回路１等から構成される閃光発光装置である。
【００４０】
図２は上記のストロボ発光手段１、ストロボ充電手段２、ストロボ放電手段３等の構成を示す回路図である。図２において、１０はストロボ用の電源であるところの燃料電池である
燃料電池１０は負極１０ａ、高分子固体電解質膜等の電解質１０ｂ、正極１０ｃからなる電池本体１０ｄと、燃料を貯蔵する燃料容器１０ｅ、廃液容器１０ｆから構成される。
【００４１】
水素等の燃料は燃料容器１０ｅから負極１０ａに送られ酸化反応が起こる。負極１０ａで発生した水素イオンは電解質１０ｂ中を移動し、正極１０ｃで酸化剤として空気と還元反応がを起こし、水を発生する。この過程で正極１０ｃと負極１０ａの間に起電力が生じ、電力の供給を可能にする燃料電池として機能する。また、正極１０ｃで発生した水は廃液容器１０ｆに貯えられる。
【００４２】
１１は２次電池２４の電圧を昇圧してメインキャパシタ２２に電荷を充電させるための公知のストロボ昇圧回路、１２は電流抑制用の抵抗、１３は充電電圧を検出するツェナーダイオード、１５、１６は抵抗、１４はメインキャパシタ２２が充電した事を検出すると共にストロボ昇圧回路の動作を停止させるトランジスタで、ストロボ昇圧回路１１から抵抗１６までにてストロボ充電手段２を構成している。
【００４３】
１７はキセノン管１９を励起させるトリガコンデンサを有する公知のトリガ回路を含むストロボ発光制御手段、１８はストロボ発光時間を延長させると共にメインキャパシタ２２の放電電流を抑制するチョークコイル、１９はストロボ発光用のキセノン管であり、ストロボ発光制御回路１７からキセノン管１９までにてストロボ発光手段１を構成している。
【００４４】
２０はストロボ発光途中にてオンし発光量を調整したり、単にメインキャパシタ２２の電荷を放電させるためのサイリスタ、２１はサイリスタ２０をオンさせるストロボ放電制御回路であり、サイリスタ２０及びストロボ充電制御回路２１にてストロボ放電手段３を構成している。
【００４５】
２２はストロボ充電手段２により昇圧された２次電池２４の電荷を充電し、所定のタイミングにてストロボ発光手段１に電流を流すメインキャパシタである。
【００４６】
この種の閃光発光装置においては、ストロボ発光させる為にかなりのエネルギー（電荷）をメインキャパシタに蓄えなければならない。また、ストロボ発光の際にキセノン管等を励起するためにストロボ発光制御手段１７及びストロボ発光用のキセノン管１９を含むストロボ発光手段１は４ｋＶ以上の高電圧になる。
【００４７】
２３は燃料電池を覆う水密又は気密の隔壁である。隔壁２３によって、閃光発光装置の落下などの事故で燃料容器１０ｅ又は燃料電池本体１０ｃに亀裂等が生じるか、もしくは燃料充填後に燃料容器１０ｅの密閉が不十分で、気体燃料もしくは気化した燃料が漏洩した場合でも気化燃料が高電圧部に充満することがなくなり、閃光発光装置内部で空中放電が発生し気化燃料に発火する危険性を抑えることが出来る。
【００４８】
２４は電池１０の発生する電力を貯え、閃光発光装置に安定的に電力を供給する２次電池である。２５は２次電池２４の充電量を検知する２次電池充電量検知手段、２６は閃光発光回路動作制限手段である。
【００４９】
図３に閃光発光装置の電源投入時のシーケンスを示す。
【００５０】
閃光発光装置に電池１０が装填後、電源ＳＷがＯＮになったかを判定する（♯１）。電源ＳＷがＯＮになったことを検知すると各種回路の初期設定動作を行う（♯２）。２次電池充電量検知手段２５によって２次電池２４の充電量が所定値に達しているかを判定する（♯３）。
【００５１】
２次電池２４の充電量が所定値に達している場合は、あらかじめ設定されたストロボモードにしたがって発光準備動作を行い（♯４）、発光待機状態に入る（♯５）。この後、従来の閃光発光装置と同様に発光制御を行うことで閃光の発光を行うことが出来る。
【００５２】
２次電池２４の充電量が所定値に達していない場合は、閃光発光回路動作制限手段２６によってメインキャパシタの充電と閃光の発光を禁止し（♯６）、２次電池充電完了待機状態に入る（♯７）。２次電池２４と２次電池充電量検知手段２５、閃光発光回路動作制限手段２６によって、メインキャパシタ充電時に大電流を必要とする閃光発光装置において、電源及び動作の安定化と、メインキャパシタ充電時間の短縮化を達成することが出来る。
【００５３】
以上のように第１の実施例によって、燃料電池を用いた閃光発光装置において安全性の向上と動作の安定化及び充電時間の短縮化による使用感の向上を達成することが出来る。また、全ての実施例は隔壁の位置及び、燃料電池の構成については請求項の閃光発光装置を限定するものではない。
【００５４】
（第２の実施例）
第２の実施例は第１の目的を達成するために、請求項４に対応する。図４に第２の実施例の閃光発光装置のブロック図を示す。第２の実施例は第１の実施例と異なる点について述べ、同様の構成については説明を省略する。
【００５５】
第２の実施例において、隔壁１２３は燃料電池本体１１０ｄ、燃料容器１１０ｅ、廃液容器１１０ｆを覆い、閃光発光装置の外装部材１２７から取り外し可能に構成される。
【００５６】
これによって閃光発光装置から取り外した状態で燃料電池を携帯するときに、燃料電池を落下しても燃料電池本体１１０ｄ、燃料容器１１０ｅ及びこれらを接続する接続部に損傷を与える可能性が少なくなり、また損傷を受けた場合でも隔壁によって燃料の閃光発光装置へのもれを防止することができるので、液体または気体の燃料電池を用いた閃光発光装置の燃料への引火の危険性を減らすことが出来る。
【００５７】
（第３の実施例）
第３の実施例は第１の目的を達成するために、請求項５、６、７に対応する。図５に第３の実施例の閃光発光装置のブロック図を示す。第３の実施例は第１の実施例と異なる点について述べ、同様の構成については説明を省略する。
【００５８】
第３の実施例において、燃料電池本体２１０ｄ及び燃料容器２１０ｅは、ストロボ発光手段２０１及び、ストロボ充電手段２０２と隣接しない位置に配置される。また、閃光発光装置の外装部材２２７には閃光発光装置内の換気を行う為の換気孔２２８が設けられる。
【００５９】
これによって閃光発光装置を落下して燃料電池本体２１０ｄ、燃料容器２１０ｅ及びこれらを接続する接続部に損傷を与え、燃料が漏洩した場合でも、ストロボ発光手段２０１及びストロボ充電手段２０２から燃料電池２１０までの距離が十分に取られ、また換気孔２２８によって閃光発光装置内の換気が行われるので、気化燃料の濃度を低下させることができ、液体または気体の燃料電池を用いた閃光発光装置の燃料への引火の危険性を減らすことが出来る。
【００６０】
（第４の実施例）
第４の実施例は第１の目的を達成するために、請求項１３に対応する。図６に第４の実施例の閃光発光システムのブロック図を示す。
【００６１】
３０１はメインキャパシタ等に充電された電荷をキセノン管を励起させる事で放電させると同時にその際に光を発生させるストロボ発光手段、３０２はカメラ等の電池よりメインキャパシタに電荷を充電させるための昇圧回路を含むストロボ充電手段、３０３はメインキャパシタの電荷をストロボ発光させる事無く放電させる為のストロボ放電手段、３０４はストロボの充電、発光、放電を制御するストロボ制御手段、３０５はストロボ制御手段３０４に制御信号を送り、カメラの撮影動作を制御するマイクロプロセッサである。
【００６２】
３０６はストロボ発光回路３０１等から構成される閃光発光装置である。ストロボ発光手段３０１、ストロボ充電手段３０２、ストロボ放電手段３０３は、第１の実施形の図２に示されるストロボ発光手段１等の構成を示す回路図と同等であり、詳細の説明は省略する。
【００６３】
３１０は閃光発光装置から脱着可能であり、閃光発光装置から取り外された状態で燃料電池３２４によって充電され、閃光発光装置に安定的に電力を供給する２次電池である。３２３は燃料電池を覆うカバーである。
【００６４】
燃料電池３２４は負極３２４ａ、高分子固体電解質膜等の電解質３２４ｂ、正極３２４ｃからなる電池本体３２４ｄと、燃料を貯蔵する燃料容器３２４ｅ、廃液容器３２４ｆから構成される。
【００６５】
水素等の燃料は燃料容器３２４ｅから負極３２４ａに送られ酸化反応が起こる。負極３２４ａで発生した水素イオンは、電解質３２４ｂ中を移動し正極３２４ｃで酸化剤として空気と還元反応を起こし、水を発生する。この過程で正極３２４ｃと負極３２４ａの間に起電力が生じ、電力の供給を可能にする燃料電池として機能する。また、正極３２４ｃで発生した水は廃液容器３２４ｆに貯えられる。
【００６６】
閃光発光装置３０６、２次電池３１０及び燃料電池３２４で閃光発光システムを構成する。２次電池３１０は閃光発光装置から取り外され燃料電池に取り付けられ、カバー３２３の電極３２３ａ、３２３ｂから充電される。
【００６７】
このように構成される閃光発光システムによって、２次電池を閃光発光装置から取り出した状態で充電することで、閃光発光装置内に気化燃料が流入することを防止できるので高電圧部によって気化燃料が引火することを防止できる。
【００６８】
（第５の実施例）
第５の実施例は第１の目的を達成するために、請求項１０、１１、１２に対応する。図７に第５の実施例の閃光発光システムのブロック図を示す。
【００６９】
４０１はメインキャパシタ等に充電された電荷をキセノン管を励起させる事で放電させると同時にその際に光を発生させるストロボ発光手段、４０２はカメラ等の電池よりメインキャパシタに電荷を充電させるための昇圧回路を含むストロボ充電手段、４０３はメインキャパシタの電荷をストロボ発光させる事無く放電させる為のストロボ放電手段、４０４はストロボの充電、発光、放電を制御するストロボ制御手段、４０５はストロボ制御手段４０４に制御信号を送り、カメラの撮影動作を制御するマイクロプロセッサである。
【００７０】
４０６はストロボ発光回路４０１等から構成される閃光発光装置である。ストロボ発光手段４０１、ストロボ充電手段４０２、ストロボ放電手段４０３は第１の実施形の図２に示されるストロボ発光手段１等の構成を示す回路図と同等であり、詳細の説明は省略する。
【００７１】
４１０は閃光発光装置に取り付けられた２次電池であり、閃光発光装置に安定的に電力を供給する。４２３は燃料電池を覆うカバーである。燃料電池４２４は負極４２４ａ、高分子固体電解質膜等の電解質４２４ｂ、正極４２４ｃからなる電池本体４２４ｄと、燃料を貯蔵する燃料容器４２４ｅ、廃液容器４２４ｆから構成される。
【００７２】
水素等の燃料は燃料容器４２４ｅから負極４２４ａに送られ酸化反応が起こる。負極４２４ａで発生した水素イオンは電解質４２４ｂ中を移動し、正極４２４ｃで酸化剤として空気と還元反応を起こし、水を発生する。この過程で正極４２４ｃと負極４２４ａの間に起電力が生じ、電力の供給を可能にする燃料電池として機能する。また、正極４２４ｃで発生した水は廃液容器４２４ｆに貯えられる。
【００７３】
閃光発光装置４０６と燃料電池４２４で閃光発光システムを構成する。燃料電池は閃光発光装置に取り付けられ、カバー４２３の電極４２３ａ、４２３ｂから２次電池４１０を充電する。４２５は２次電池４１０が充電中であることを検知する２次電池充電検知手段、４２６は燃料電池接続検知手段、４２７は閃光発光回路動作制限手段である。
【００７４】
図８に第５の実施例の閃光発光システムにおける閃光発光装置の電源投入シーケンスを示す。
【００７５】
電源ＳＷがＯＮになったかを判定する（♯１）。電源ＳＷがＯＮになったことを検知すると各種回路の初期設定動作を行う（♯２）。２次電池充電検知手段４２５によって２次電池２４が充電中かを判定する（♯３）。２次電池４１０が充電中の場合は、閃光発光回路動作制限手段４２７によってメインキャパシタの充電と閃光の発光を禁止し（♯４）、充電完了待機状態に入る（♯５）。
【００７６】
燃料電池４２４が閃光発光装置に取り付けられている事を燃料電池接続検知手段４２６によって検出した場合は（♯６）、閃光発光回路動作制限手段４２７によってメインキャパシタの充電と閃光の発光を禁止し（♯７）、燃料電池分離待機状態に入る（♯８）。
【００７７】
２次電池が充電中でもなく、燃料電池が閃光発光装置に装着状態でもない場合は、あらかじめ設定されたストロボモードにしたがって発光準備動作を行い（♯９）発光待機状態に入る（♯１０）。この後、従来の閃光発光装置と同様に発光制御を行うことで閃光の発光を行うことが出来る。
【００７８】
このように構成される閃光発光システムによって、燃料電池を閃光発光装置に接続したこと、もしくは２次電池が充電中であることを検知し閃光発光回路動作制限手段によって閃光発光回路の充電及び閃光の発光動作を禁止することで、閃光発光装置内に気化燃料が流入する可能性のある状態での閃光発光装置の動作を制限し、高電圧部によって気化燃料が引火することを防止できる。
【００７９】
（第６の実施例）
第６の実施例は上述した第１と第３の目的を達成するために、請求項３、１４、１５に対応する。図９に第６の実施例の閃光発光システムのブロック図を示す。
【００８０】
５０１はメインキャパシタ等に充電された電荷をキセノン管を励起させる事で放電させると同時にその際に光を発生させるストロボ発光手段、５０２はカメラ等の電池よりメインキャパシタに電荷を充電させるための昇圧回路を含むストロボ充電手段、５０３はメインキャパシタの電荷をストロボ発光させる事無く放電させる為のストロボ放電手段、５０４はストロボの充電、発光、放電を制御するストロボ制御手段、５０５はストロボ制御手段５０４に制御信号を送り、カメラの撮影動作を制御するマイクロプロセッサである。
【００８１】
５０６はストロボ発光回路５０１等から構成される閃光発光装置である。ストロボ発光手段５０１、ストロボ充電手段５０２、ストロボ放電手段５０３は第１の実施形の図２に示されるストロボ発光手段１等の構成を示す回路図と同等であり、詳細の説明は省略する。
【００８２】
５１０は燃料電池５２４に取り付けられ燃料電池５２４と共に閃光発光装置の外装部材５２３から着脱可能であり、閃光発光装置に安定的に電力を供給する２次電池である。２次電池５１０は燃料電池に取り付けられた状態で燃料電池５１０によって充電される。
【００８３】
５２３は閃光発光装置を覆う外装部材であり、水密又は気密の隔壁を兼ねる。２次電池５１０は、閃光発光装置の外装部材５２３に取り付けられ、外装部材５２３の電極５２３ａから閃光発光装置に給電する。５２４は閃光発光装置の外装部材５２３に脱着可能に保持される燃料電池である。
【００８４】
燃料電池５２４は負極５２４ａ、高分子固体電解質膜等の電解質５２４ｂ、正極５２４ｃからなる電池本体５２４ｄと、燃料を貯蔵する燃料容器５２４ｅ、廃液容器５２４ｆから構成される。
【００８５】
水素等の燃料は燃料容器５２４ｅから負極５２４ａに送られ酸化反応が起こる。負極５２４ａで発生した水素イオンは、電解質５２４ｂ中を移動し正極５２４ｃで酸化剤として空気と還元反応を起こし、水を発生する。この過程で正極５２４ｃと負極５２４ａの間に起電力が生じ、電力の供給を可能にする燃料電池として機能する。
【００８６】
また、正極５２４ｃで発生した水は廃液容器５２４ｆに貯えられる。発生した電力は燃料電池の端子５２４ｇ、５２４ｈを通して２次電池５１０に貯えられる。閃光発光装置５０６、２次電池５１０及び燃料電池５２４で閃光発光システムを構成する。
【００８７】
このように構成される閃光発光システムによって、水密及び気密の隔壁を兼ねた閃光発光装置の外装部材に、２次電池と燃料電池を閃光発光装置に脱着可能に取り付けることで、閃光発光装置内に気化燃料が流入することを防止し高電圧部によって気化燃料が引火することを防止できる。
【００８８】
それと共に、燃料電池に取り付けられた２次電池を閃光発光装置に取り付けることで、燃料電池と２次電池の交換が簡単に行うことができ、閃光発光システムの利便性を向上させる事が出来る。
【００８９】
【発明の効果】
請求項１、２、３に記載の閃光発光装置によって、閃光発光装置の落下等の事故等によって燃料の気体もしくは液体が燃料容器から漏れ出した場合でも、隔壁によって燃料が閃光発光装置の高電圧部に充満することを防止することが可能となり、高電圧部の空中放電によって発火する危険性を減らすことが可能となり、第１の目的を達成可能となる。
【００９０】
請求項４に記載の発明によって、閃光発光装置から取り外した状態で燃料電池を携帯するときに、燃料電池を落下し、燃料容器及び燃料電池本体に損傷を与える可能性が少なくなり、また損傷を受けた場合でも隔壁によって燃料の閃光発光装置へのもれを防止することができるので、液体または気体の燃料電池を用いた閃光発光装置の燃料への引火の危険性を減らし、第１の目的を達成可能となる。
【００９１】
請求項５から７に記載の発明によって、破損等により燃料の漏洩が発生した場合でも閃光発光部及び閃光発光回路に到達する気化燃料の濃度を低下させることができ、液体または気体の燃料電池を用いた閃光発光装置の燃料への引火の危険性を減らし第１の目的を達成できる。
【００９２】
請求項８に記載の発明によって、閃光発光装置を使用しないときに燃料電池から２次電池への充電を行い、閃光発光装置使用時にメインキャパシタ充電時の電力供給を十分な放電電流能力を有する２次電池から行うことで、充電時間の短縮を図り、第２の目的を達成することが出来る。
【００９３】
請求項９に記載の発明によって、２次電池の充電が所定のレベルに達してから閃光発光動作を許可することで、閃光発光装置の動作を安定させ、第２の目的を達成することが出来る。
【００９４】
請求項１０に記載の発明によって、閃光発光装置と燃料電池を分離した装置として構成し、閃光発光装置内に気化燃料が流入することを防止できるので高電圧部によって気化燃料が引火することを防止でき、第１の目的を達成することが出来る。
【００９５】
請求項１１に記載の発明によって、閃光発光装置内に気化燃料が流入する可能性がある充電状態での閃光発光装置の充電及び発光動作を禁止することで高電圧部によって気化燃料が引火することを防止でき、第１の目的を達成することが出来る。
【００９６】
請求項１２に記載の発明によって、閃光発光装置内に気化燃料が流入する可能性がある、閃光発光装置と燃料電池の接続中の閃光発光装置の充電動作及び発光動作を禁止する閃光発光回路動作制限手段を設けることで、高電圧部によって気化燃料が引火することを防止でき、第１の目的を達成することができる。
【００９７】
請求項１３に記載の発明によって、２次電池を閃光発光装置から取り出した状態で充電することで、閃光発光装置内に気化燃料が流入することを防止できるので高電圧部によって気化燃料が引火することを防止でき、第１の目的を達成することが出来る。
【００９８】
請求項１４に記載の発明によって、２次電池の充電の為に閃光発光装置が使用できない場合でも燃料電池及び２次電池を閃光発光装置から取り外し、充電済の２次電池と交換可能にすることで、即座に閃光発光の準備を行うことができ、第三の目的を達成することができる。
【００９９】
請求項１５に記載の発明によって、燃料電池と２次電池の交換が簡単に行うことができ、第３の目的を達成することができる。
【図面の簡単な説明】
【図１】第１の実施例の閃光発光装置のブロック図。
【図２】ストロボ発光手段、ストロボ充電手段、ストロボ放電手段等の構成を示す回路図。
【図３】第１の実施例の閃光発光装置の電源投入時のシーケンス。
【図４】第２の実施例の閃光発光装置のブロック図。
【図５】第３の実施例の閃光発光装置のブロック図。
【図６】第４の実施例の閃光発光システムのブロック図。
【図７】第５の実施例の閃光発光システムのブロック図。
【図８】第５の実施例の閃光発光システムにおける閃光発光装置の電源投入シーケンス。
【図９】第６の実施例の閃光発光システムのブロック図。
【図１０】従来の閃光発光装置のブロック図。
【図１１】従来におけるストロボ発光手段、ストロボ充電手段、ストロボ放電手段等の構成を示す回路図。
【符号の説明】
１　ストロボ発光手段
２　ストロボ充電手段
３　ストロボ放電手段
４　ストロボ制御手段
５　マイクロプロセッサ
１０　燃料電池
１０ａ　負極
１０ｂ　電解質
１０ｃ　正極
１０ｄ　電池本体
１０ｅ　燃料容器
１０ｆ　廃液容器
１１　ストロボ昇圧回路
１７　ストロボ発光制御手段
１９　キセノン管
２０　サイリスタ
２１　ストロボ放電制御回路
２２　メインキャパシタ
２３　隔壁
２４　２次電池
２５　２次電池充電量検知手段
２６　閃光発光回路動作制限手段
【図１】
2004004363.tif 000003
【図２】
2004004363.tif 000004
【図３】
2004004363.tif 000005
【図４】
2004004363.tif 000006
【図５】
2004004363.tif 000007
【図６】
2004004363.tif 000008
【図７】
2004004363.tif 000009
【図８】
2004004363.tif 000010
【図９】
2004004363.tif 000011
【図１０】
2004004363.tif 000012
【図１１】
2004004363.tif 000013